(57)【要約】    【課題】  ヘッドマウントディスプレイ装置を装着したときの映像表示部の位置ずれを防ぎ、姿勢を安定させることである。    【解決手段】  使用者Ｍの頭部に装着され、使用者Ｍの両方の側頭部を押圧するほぼ円弧状のリアアーム１０と、このリアアーム１０に連なるフロントアーム２０に支持され、使用者Ｍの目Ｅの前方に配置される映像表示部３０と、使用者Ｍの頭部以外で保持可能であって少なくとも映像表示部３０を制御するコントローラ５０とを備えているヘッドマウントディスプレイ装置において、コントローラ５０に接続されるケーブル５０ａをリアアーム１０の一端部の近傍から垂らした。【選択図】      図１
2005311961.tif 000002
【特許請求の範囲】
【請求項１】
使用者の頭部に装着され、前記使用者の両方の側頭部を押圧するほぼ円弧状の保持手段と、この保持手段に連なる支持手段に支持され、前記使用者の目の前方に配置される表示手段とを備えているヘッドマウントディスプレイ装置において、
前記使用者の頭部以外で保持可能であって少なくとも前記表示手段を制御するコントローラに接続されるケーブルを前記保持手段の一端部の近傍から引き出したことを特徴とするヘッドマウントディスプレイ装置。
【請求項２】
前記支持手段を収容する収容部が前記保持手段に取り付けられ、前記近傍は前記収容部の取付位置と前記保持手段の一端部との間であることを特徴とする請求項１記載のヘッドマウントディスプレイ装置。
【請求項３】
前記ケーブルの一部が前記保持手段に設けられた耳当てに支持されていることを特徴とする請求項１又は２記載のヘッドマウントディスプレイ装置。
【請求項４】
前記保持手段の両端部に耳当てが設けられ、前記支持手段を収容する収容部が前記耳当てに結合され、前記ケーブルの一部が前記収容部と前記耳当てとの結合部に支持されていることを特徴とする請求項１記載のヘッドマウントディスプレイ装置。
【請求項５】
前記ケーブルの引出方向を切り換えるケーブル引出方向切換手段を備えていることを特徴とする請求項１又は２項記載のヘッドマウントディスプレイ装置。
【請求項６】
前記ケーブル引出方向切換手段は前記ケーブルの一部を支持する回転部材であり、その中心軸がほぼ前後方向へ延びることを特徴とする請求項５記載のヘッドマウントディスプレイ装置。
【請求項７】
前記ケーブル引出方向切換手段は前記ケーブルの一部を挟持する挟持部材であることを特徴とする請求項５記載のヘッドマウントディスプレイ装置。
【請求項８】
前記ケーブル引出方向切換手段は前記ケーブルの一部を締め付けるベルトであることを特徴とする請求項５記載のヘッドマウントディスプレイ装置。
【請求項９】
前記ケーブル引出方向切換手段は、前記ケーブルに設けられたおす側コネクタと、前記おす側コネクタと嵌合可能なめす側コネクタとで構成されていることを特徴とする請求項５記載のヘッドマウントディスプレイ装置。
【発明の詳細な説明】
【技術分野】
【０００１】
この発明はヘッドマウントディスプレイ装置に関する。
【背景技術】
【０００２】
従来、弾性力によって使用者の頭部に装着される保持部と、この保持部に連なる表示ユニットとを備えるヘッドマウントディスプレイ装置がある（特開平１１−３２７４６０号公報参照）。表示ユニットは目の前方に配置される表示デバイスを有する。
【０００３】
使用者は表示デバイス上に表示された映像を接眼レンズやハーフミラー等を介して観察する。
【特許文献１】特開平１１−３２７４６０号公報
【発明の開示】
【発明が解決しようとする課題】
【０００４】
本出願人は上記ヘッドマウントディスプレイ装置と異なる構成のヘッドマウントディスプレイ装置を提案している（特願２００２−３７１９９４号参照）。
【０００５】
図１２はこのヘッドマウントディスプレイ装置の斜視図である。
【０００６】
このヘッドマウントディスプレイ装置はリアアーム１０１０とフロントアーム１０２０と映像表示部１０３０と収容部１０４０とコントローラ１０５０とリモートコントローラ１０６０とを備えている。
【０００７】
リアアーム１０１０は円弧状であり、使用者の後頭部に装着される。
【０００８】
リアアーム１０１０の両端部にはヘッドホン部１０１５，１０１６が設けられ、使用者（図示せず）の左右の耳に装着される。リアアーム１０１０の両端部がヘッドホン部１０１５，１０１６を介して両方の側頭部を押圧する。
【０００９】
また、リアアーム１０１０には弓形状のフロントアーム１０２０を摺動可能に支持する収容部１０４０が取付部材１０４１を介して取り付けられている。収容部１０４０の取付位置はリアアーム１０１０の一端部から他端部の方へ所定距離だけ離れている。
【００１０】
フロントアーム１０２０の先端部には使用者の目の前方に配置される映像表示部１０３０が支持されている。
【００１１】
コントローラ１０５０はケーブル１０５０ａを介して収容部１０４０に接続され、収容部１０４０内に収容されているフロントアーム１０２０の出し入れを行うモータ（図示せず）等の駆動を制御する。ケーブル１０５０ａは収容部１０４０の後端部から引き出されている。
【００１２】
リモートコントローラ１０６０はケーブル１０５０ｂを介してコントローラ１０５０に接続され、ケーブル１０５０ｂを介して信号データをコントローラ１０５０へ送る。
【００１３】
このヘッドマウントディスプレイ装置を装着したとき、収容部１０４０の取付位置を支点とする、ケーブル１０５０ａの重量による回転モーメントが発生する（回転モーメントの方向は時計方向）。このとき、収容部１０４０の取付位置にはリアアーム１０１０と取付部材１０４１との結合部の弾性力によって反時計方向に回転モーメントが発生する。
【００１４】
また、リアアーム１０１０の両端部が使用者の両方の側頭部を押圧する位置を支点とする、ケーブル１０５０ａの重量による回転モーメントが発生する（回転モーメントの方向は時計方向）。このとき、ヘッドホン部１０１５と側頭部との接触部分の摩擦力（ヘッドホン部１０１５を回転を妨げる力）による反時計方向の回転モーメントが発生する。
【００１５】
上記各回転モーメントを足し合わせたものがこのヘッドマウントディスプレイ装置に作用する。
【００１６】
ケーブル１０５０ａを収容部１０４０の取付位置の後側から引き出したときには、時計方向に作用する回転モーメントが反時計方向に作用する回転モーメントより大きくなり、映像表示部１０３０の位置は上方へずれ易い。
【００１７】
これに対し、ケーブル１０５０ａをリアアーム１０１０の両端部の位置（使用者の側頭部が押圧される位置）より前側（映像表示部１０３０側）から引き出したとき、以下のような問題が生じる。
【００１８】
収容部１０４０の取付位置を支点とする、ケーブル１０５０ａの重量による回転モーメントが発生する（回転モーメントの方向は反時計方向）。このとき、取付位置にリアアーム１０１０と取付部材１０４１との結合部の弾性力によって時計方向に回転モーメントが発生する。
【００１９】
また、リアアーム１０１０の両端部が使用者の両方の側頭部を押圧する位置を支点とする、ケーブル１０５０ａの重量による回転モーメントが発生する（回転モーメントの方向は反時計方向）。このとき、ヘッドホン部１０１５と側頭部との接触部分の摩擦力（ヘッドホン部１０１５を回転を妨げる力）による時計方向の回転モーメントが発生する。
【００２０】
上記各回転モーメントを足し合わせたものがヘッドマウントディスプレイ装置に作用する。ケーブル１０５０ａをリアアーム１０１０の両端部の位置（使用者の側頭部が押圧される位置）より前側から引き出したとき、反時計方向に作用する回転モーメントが時計方向に作用する回転モーメントより大きくなり、映像表示部１０３０の位置は下方へずれ易い。
【００２１】
以上のように、図１２のヘッドマウントディスプレイ装置には、映像表示部１０３０の位置ずれが起こり易く、姿勢が安定しないという問題がある。
【００２２】
この発明はこのような事情に鑑みてなされたもので、その課題はヘッドマウントディスプレイ装置を装着したときの映像表示部の位置ずれを防ぎ、姿勢を安定させることである。
【課題を解決するための手段】
【００２３】
上記課題を解決するため請求項１記載の発明は、使用者の頭部に装着され、前記使用者の両方の側頭部を押圧するほぼ円弧状の保持手段と、この保持手段に連なる支持手段に支持され、前記使用者の目の前方に配置される表示手段とを備えているヘッドマウントディスプレイ装置において、前記使用者の頭部以外で保持可能であって少なくとも前記表示手段を制御するコントローラに接続されるケーブルを前記保持手段の一端部の近傍から引き出したことを特徴とする。
【００２４】
請求項２記載の発明は、請求項１記載のヘッドマウントディスプレイ装置において、前記支持手段を収容する収容部が前記保持手段に取り付けられ、前記近傍は前記収容部の取付位置と前記保持手段の一端部との間であることを特徴とする。
【００２５】
請求項３記載の発明は、請求項１又は２記載のヘッドマウントディスプレイ装置において、前記ケーブルの一部が前記保持手段に設けられた耳当てに支持されていることを特徴とする。
【００２６】
請求項４記載の発明は、請求項１記載のヘッドマウントディスプレイ装置において、前記保持手段の両端部に耳当てが設けられ、前記支持手段を収容する収容部が前記耳当てに結合され、前記ケーブルの一部が前記収容部と前記耳当てとの結合部に支持されていることを特徴とする。
【００２７】
請求項５記載の発明は、請求項１又は２項記載のヘッドマウントディスプレイ装置において、前記ケーブルの引出方向を切り換えるケーブル引出方向切換手段を備えていることを特徴とする。
【００２８】
請求項６記載の発明は、請求項５記載のヘッドマウントディスプレイ装置において、前記ケーブル引出方向切換手段は前記ケーブルの一部を支持する回転部材であり、その中心軸がほぼ前後方向へ延びることを特徴とする。
【００２９】
請求項７記載の発明は、請求項５記載のヘッドマウントディスプレイ装置において、前記ケーブル引出方向切換手段は前記ケーブルの一部を挟持する挟持部材であることを特徴とする。
【００３０】
請求項８記載の発明は、請求項５記載のヘッドマウントディスプレイ装置において、前記ケーブル引出方向切換手段は前記ケーブルの一部を締め付けるベルトであることを特徴とする。
【００３１】
請求項９記載の発明は、請求項５記載のヘッドマウントディスプレイ装置において、前記ケーブル引出方向切換手段は、前記ケーブルに設けられたおす側コネクタと、前記おす側コネクタと嵌合可能なめす側コネクタとで構成されていることを特徴とする。
【発明の効果】
【００３２】
この発明のヘッドマウントディスプレイ装置によれば、ヘッドマウントディスプレイ装置を装着したときの映像表示部の位置ずれを防ぎ、姿勢を安定させることができる。
【発明を実施するための最良の形態】
【００３３】
以下、この発明の実施の形態を図面に基づいて説明する。
【００３４】
図１はこの発明の第１実施形態に係るヘッドマウントディスプレイ装置の斜視図、図２は左側面図である。なお、図２ではケーブル５０ａ及びコントローラ５０の図示は省略されている。
【００３５】
このヘッドマウントディスプレイ装置はリアアーム（保持手段）１０とフロントアーム（支持手段）２０と映像表示部（表示手段）３０と収容部４０とコントローラ５０とを備えている。
【００３６】
リアアーム１０は円弧状であり、使用者Ｍの後頭部に装着される。
【００３７】
リアアーム１０の両端部には使用者Ｍの左右の耳に装着されるヘッドホン部（耳当て）１５，１６が設けられている。リアアーム１０の両端部はヘッドホン部１５，１６を介して両方の側頭部を押圧する。
【００３８】
また、リアアーム１０には弓形状のフロントアーム２０を摺動可能に支持する収容部４０が取付部材４１を介して取り付けられている。図示しないが、収容部４０には表示処理系、駆動系等が収容されている。
【００３９】
また、リアアーム１０には弓形状のフロントアーム２０を摺動可能に支持する収容部４０が取付部材４１を介して取り付けられている。収容部４０の取付位置はリアアーム１０の一端部から他端部の方へ所定距離だけ離れている。
【００４０】
フロントアーム２０の先端部には使用者の一方の目Ｅの前方に配置される映像表示部３０が設けられている。図１の場合、映像表示部３０は左目Ｅの前方に配置される。
【００４１】
コントローラ５０は使用者Ｍの頭部以外（例えば腰の周辺等）に装着される。コントローラ５０はケーブル５０ａを介して収容部４０に接続され、画像の再生、停止、拡大等の制御信号を出力する。ケーブル５０ａは収容部４０の取付位置とリアアーム１０の一端部との間（保持手段の一端部の近傍）から外部へ引き出され、収容部４０の内側（ヘッドホン部１５側）の側面から垂れ下がる。ケーブル５０ａを引き出す位置は好ましくは収容部４０の取付位置とリアアーム１０の一端部との中間位置よりも少しヘッドホン部１５に近づいた位置である。
【００４２】
ケーブル５０ａの引出位置とリアアーム１０の一端部との距離をａ、ケーブル５０ａの引出位置と収容部４０の取付位置との距離をｂ、ケーブル５０ａによって引出位置に加わる力をＰとする（図２参照）。
【００４３】
このヘッドマウントディスプレイ装置を装着したとき、収容部４０の取付位置を支点とする、ケーブル５０ａの重量による回転モーメントＭ１（Ｍ１＝ｂ×Ｐ）が発生する（回転モーメントの方向は反時計方向）。このとき、取付位置にはリアアーム１０と取付部材４１との結合部の弾性力によって時計方向に回転モーメントＭ２が発生する。
【００４４】
また、リアアーム１０の両端部の位置（使用者の側頭部が押圧される位置）を支点とする、ケーブル５０ａの重量による回転モーメントＭ３（Ｍ３＝ａ×Ｐ）が発生する（回転モーメントの方向は時計方向）。このとき、ヘッドホン部１５と側頭部との接触部分の摩擦力（ヘッドホン部１５を回転を妨げる力）による反時計方向の回転モーメントＭ４が発生する。
【００４５】
結局、各回転モーメントを足し合わせたものがこのヘッドマウントディスプレイ装置に作用する。回転モーメントＭ１と回転モーメントＭ２とを足し合わせたものは回転モーメントＭ３と回転モーメントＭ４とを足し合わせたものにほぼ等しく、両者の回転方向は逆であり、相殺される。その結果、頭部に装着されたヘッドマウントディスプレイ装置の姿勢は安定する。
【００４６】
この実施形態によれば、ヘッドマウントディスプレイ装置を装着したときの映像表示部３０の位置ずれを防ぎ、姿勢を安定させることができる。
【００４７】
図３はこの発明の第２実施形態に係るヘッドマウントディスプレイ装置の斜視図であり、第１実施形態と同一部分には同一符号を付してその説明を省略する。
【００４８】
この実施形態はケーブル５０ａの一部をリアアーム１０の一端部に設けられたヘッドホン部１５に固定させた点で第１実施形態と相違する。
【００４９】
ケーブル５０ａは収容部４０の内側（ヘッドホン部１５側）の側面から外部へ引き出され、ヘッドホン部１５の外面に設けられた留め具１７によって支持されている。ケーブル５０ａは収容部４０の取付位置とリアアーム１０の一端部との間に位置する。留め具１７は円形のヘッドホン部１５のほぼ中心（リアアーム１０の一端部の位置に対応）を通る上下方向へ延びる仮想線上に位置する。
【００５０】
リアアーム１０の一端部のヘッドホン部１５の位置にケーブル５０ａを支持させたので、この位置を支点とする回転モーメントは発生せず、収容部４０の取付位置を支点とする、ケーブル５０ａの重量による回転モーメントが発生する（回転モーメントの方向は反時計方向である）。この回転モーメントは、収容部４０の取付位置に発生するリアアーム１０と取付部材４１との結合部の弾性力によって時計方向に発生する回転モーメントと、ヘッドホン部１５と使用者の側頭部との接触部分で生じる抗力とを足し合わせたものにほぼ等しく、両者は相殺される。
【００５１】
この実施形態によれば、第１実施形態と同様の効果を奏する。
【００５２】
図４はこの発明の第３実施形態に係るヘッドマウントディスプレイ装置の斜視図であり、第１実施形態と同一部分には同一符号を付してその説明を省略する。
【００５３】
このヘッドマウントディスプレイ装置はリアアーム（保持手段）１１０とフロントアーム（支持手段）２０と映像表示部（表示手段）３０と収容部１４０とを備えている。なお、コントローラ５０の図示は省略されている。
【００５４】
リアアーム１１０は円弧状であり、後頭部に装着される。
【００５５】
リアアーム１１０の両端部には使用者Ｍの左右の耳に装着されるヘッドホン部（耳当て）１１５，１１６が設けられている。ヘッドホン部１１５，１１６にはヘッドホン部１１５，１１６を耳に引っ掛けるための耳掛け部１１５ａ，１１６ａがそれぞれ設けられている。リアアーム１１０の両端部はヘッドホン部１１５，１１６を介して両方の側頭部を押圧する。
【００５６】
また、フロントアーム２０を収容する収容部１４０はヘッドホン部１１５に結合されている。ヘッドホン部１１５の外面の中心部にはほぼ前後方向へ延びる収容部１４０のほぼ中間部に形成された円筒状の結合部１４５が嵌合している。ケーブル５０ａは結合部１４５から外部へ引き出され、垂れ下がる。
【００５７】
結合部１４５からケーブル５０ａを引き出したので、この結合部１４５を支点とする回転モーメントは発生しない。ケーブル５０ａに作用する重量はヘッドホン部１５と使用者の側頭部との接触部分及び耳掛け部１１５ａ，１１６ａと耳との接触部分で生じる抗力と釣り合う。
【００５８】
この実施形態によれば、第１実施形態と同様の効果を奏する。
【００５９】
図５はこの発明の第４実施形態に係るヘッドマウントディスプレイ装置の斜視図、図６は回転部材の拡大斜視図であり、第１実施形態と同一部分には同一符号を付してその説明を省略する。
【００６０】
リアアーム２１０の両端部には使用者Ｍの左右の耳に装着されるヘッドホン部（耳当て）２１５，２１６が設けられている。リアアーム２１０の両端部はヘッドホン部２１５，２１６を介して側頭部を押圧する。
【００６１】
回転軸（ケーブル引出方向切換手段）２５０は、ヘッドホン部２１５の外面に設けられた一対のフランジ部２５０ａ，２５０ｂと、それらによって回転可能に支持された回転軸２５０ｃとを有している。回転軸２５０ｃは円柱状であり、回転軸２５０ｃの中心軸はほぼ前後方向へ延びる。
【００６２】
ヘッドホン部２１５の外面から引き出されたケーブル５０ａの一部は回転軸２５０ｃを貫通する孔２５１に保持されている。なお、ケーブル５０ａは例えばヘッドホン部２１５、リアアーム２１０及び取付部材４１を経由して収容部４０に収容された表示処理系、駆動系等に接続される。
【００６３】
ヘッドマウントディスプレイ装置を反転させて頭部に装着したとき、収容部４０は実線で示した位置から２点鎖線で示した位置に移る。ヘッドマウントディスプレイ装置の反転に伴ってケーブル５０ａの向きも反転する。このケーブル５０ａの反転に伴ってケーブル５０ａを支持する回転軸２５０ｃが回転するので、ケーブル５０ａの引出方向が図６の実線で示した位置から鎖線で示した位置へ変わる。
【００６４】
なお、上記実施形態では回転部材２５０をヘッドホン部２１５，２１６の外面に設けたが、リアアーム２１０の一端部の近傍であれば、例えば回転部材２５０を収容部２４０の外側の側面や内側の側面に設けてもよい。
【００６５】
次に、回転部材２５０を収容部２４０の外側の側面に設けた場合を図７及び図８を用いて説明する。保持手段の一端部の近傍には収容部２４０の外側の側面も含まれる。
【００６６】
図７はヘッドマウントディスプレイ装置の装着状態を示す正面図、図８は図7のヘッドマウントディスプレイ装置を反転させた後の装着状態を示す正面図である。
【００６７】
図７、図８において、収容部２４０及びケーブル５０ａ以外の図示は省略されている。
【００６８】
図７、図８から、ヘッドマウントディスプレイ装置の反転に伴ってケーブル５０ａの引出方向が変わり、その反転の後も同様にケーブル５０ａが垂れ下がることがわかる。なお、図７及び図８では回転部材２５０はフランジ部２５０ａに隠れて見えない。
【００６９】
この実施形態によれば、第１実施形態と同様の効果を奏するとともに、映像表示部３０を左右いずれの目Ｅの前方に配置しても同じ感覚で装着できる使い勝手のよいものとすることができる。
【００７０】
図９はこの発明の第５実施形態に係るヘッドマウントディスプレイ装置の挟持部材を説明するための拡大斜視図である。
【００７１】
この実施形態は挟持部材（ケーブル引出方向切換手段）３５０，３５１を用いてケーブル５０ａを引き出す向きを変えるようにした点で第１実施形態と相違する。
【００７２】
収容部３４０の外側の側面に上下方向へ所定間隔をおいて挟持部材３５０と挟持部材３５１とが設けられている。挟持部材３５０と挟持部材３５１とは収容部３４０のケーブル５０ａが引き出された位置からそれぞれほぼ等距離にある。挟持部材３５０と挟持部材３５１とは同じ形状である。挟持部材３５０，３５１はほぼ音叉形であり、ケーブル５０ａを挟持する。
【００７３】
ヘッドマウントディスプレイ装置を反転させたとき、収容部３４０は使用者Ｍ（図５参照）の左側頭部から右側頭部に移る。ケーブル５０ａを一方の挟持部材３５０から外し、ケーブル５０ａの向きを１８０°変えて他方の挟持部材３５１に挟持させる。
【００７４】
この実施形態によれば、第１実施形態と同様の効果を奏するとともに、映像表示部３０をいずれの目Ｅの前方に配置しても同じ感覚で装着できる使い勝手のよいものとすることができる。
【００７５】
なお、上記実施形態では挟持部材３５０，３５１を収容部３４０の外側の側面に設けたが、リアアーム１０の一端部の近傍であれば、収容部３４０の内側の側面に設けてもよい。
【００７６】
図１０はこの発明の第６実施形態に係るヘッドマウントディスプレイ装置のベルト部分の拡大斜視図である。
【００７７】
この実施形態はベルト（ケーブル引出方向切換手段）４５０を用いてケーブル５０ａを引き出す向きを変えるようにした点で第１実施形態と相違する。
【００７８】
ベルト４５０には後述する突起４５１，４５２と係合可能な複数の孔４５０ａが形成されている。突起４５１，４５２は収容部４４０の外側の側面に上下方向へ所定間隔をおいて設けられている。突起４５１は係合後に孔４５０ａから抜け難いように突起４５１の先端部が孔４５０ａより僅かに大きい。突起４５１と突起４５２とは同じ形状である。突起４５１と突起４５２とはほぼキノコ形である。この実施形態では突起４５１と突起４５２とはベルト４５０の一部を構成する。
【００７９】
ヘッドマウントディスプレイ装置を反転させたとき、収容部４４０は使用者Ｍ（図５参照）の左側頭部から右側頭部に移る。孔４５０ａと突起４５１との係合を解除してケーブル５０ａを外し、ケーブル５０ａの向きを１８０°変えた後、孔４５０ａに突起４５１を係合させてベルト４５０を締め付ける。
【００８０】
したがって、ヘッドマウントディスプレイ装置を反転させたときであってもヘッドマウントディスプレイ装置を反転させる前と同様にケーブル５０ａが垂れ下がる。
【００８１】
この実施形態によれば、第１実施形態と同様の効果を奏するとともに、映像表示部３０をいずれの目Ｅの前方に配置しても同じ感覚で装着できる使い勝手のよいものとすることができる。
【００８２】
なお、上記実施形態ではベルト４５０と突起４５１,４５２とを収容部４４０の側面に設けたが、リアアーム１０の一端部近傍であれば、ベルト４５０と突起４５１,４５２とを設ける位置は例えばヘッドホン部１５（図５参照）の外側であってもよい。
【００８３】
図１１はこの発明の第７実施形態に係るヘッドマウントディスプレイ装置の斜視図であり、第１実施形態と同一部分には同一符号を付してその説明を省略する。
【００８４】
この実施形態はコネクタ５５０，５５１，５５２を用いてケーブル５０ａを引き出す向きを変えるようにした点で第１実施形態と相違する。
【００８５】
収容部５４０は弓形状のフロントアーム２０を摺動可能に支持する。収容部５４０は取付部材５４１を介してリアアーム１０に取り付けられている。図示しないが、収容部５４０には表示処理系、駆動系等が収容されている。
【００８６】
収容部５４０の上、下面にはケーブル５０ａに設けられたおす側コネクタ５５０と嵌合可能なめす側コネクタ５５１，５５２がそれぞれ設けられている。おす側コネクタ５５０とめす側コネクタ５５１，５５２とでケーブル引出方向切換手段が構成される。
【００８７】
ヘッドマウントディスプレイ装置を反転させたとき、収容部５４０は使用者Ｍの左側頭部（図１０参照）から右側頭部に移る。ケーブル５０ａのコネクタ５５０を一方のめす側コネクタ５５１から引き抜き、他方のめす側コネクタ５５２に挿入する。
【００８８】
したがって、ヘッドマウントディスプレイ装置を反転させたときも、収容部５４０の下側の面からケーブル５０ａが垂れ下がる。
【００８９】
この実施形態によれば、第１実施形態と同様の効果を奏するとともに、映像表示部３０をいずれの目Ｅの前方に配置しても同じ感覚で装着できる使い勝手のよいものとすることができる。
【００９０】
なお、上記実施形態ではめす側コネクタ５５１，５５２を収容部５４０の上、下面に設けたが、リアアーム１０の一端部の近傍であれば、例えばヘッドホン部１５の上、下部に設けてもよい。
【００９１】
なお、リアアーム１０の一端部の近傍とはヘッドホン部１５、取付部材５４１の取付位置及び収容部５４０が含まれる領域である。
【図面の簡単な説明】
【００９２】
【図１】図１はこの発明の第１実施形態に係るヘッドマウントディスプレイ装置の斜視図である。
【図２】図２はヘッドマウントディスプレイ装置の左側面図である。
【図３】図３はこの発明の第２実施形態に係るヘッドマウントディスプレイ装置の斜視図である。
【図４】図４はこの発明の第３実施形態に係るヘッドマウントディスプレイ装置の斜視図である。
【図５】図５はこの発明の第４実施形態に係るヘッドマウントディスプレイ装置の斜視図である。
【図６】図６は回転部材の拡大斜視図である。
【図７】図７はヘッドマウントディスプレイ装置の装着状態を示す正面図である。
【図８】図８は図７のヘッドマウントディスプレイ装置を反転させた後の装着状態を示す正面図である。
【図９】図９はこの発明の第５実施形態に係るヘッドマウントディスプレイ装置の挟持部材を説明するための拡大斜視図である。
【図１０】図１０はこの発明の第６実施形態に係るヘッドマウントディスプレイ装置のベルト部分の拡大斜視図である。
【図１１】図１１はこの発明の第７実施形態に係るヘッドマウントディスプレイ装置の斜視図である。
【図１２】図１２はヘッドマウントディスプレイ装置の斜視図である。
【符号の説明】
【００９３】
１０,１１０，２１０  リアアーム（保持手段）
１５，１６，１１５，１１６，２１５，２１６  ヘッドホン部（耳当て）
２０  フロントアーム（支持手段）
３０  映像表示部（表示手段）
４０，１４０，２４０，３４０  収容部
５０  コントローラ
５０ａ  ケーブル
１４５  結合部
２５０  回転部材
３５０，３５１  挟持部材（ケーブル引出方向切換手段）
４５０  ベルト（ケーブル引出方向切換手段）
５５０  おす側コネクタ
５５１，５５２  めす側コネクタ
Ｍ  使用者
【図１】
2005311961.tif 000003
【図２】
2005311961.tif 000004
【図３】
2005311961.tif 000005
【図４】
2005311961.tif 000006
【図５】
2005311961.tif 000007
【図６】
2005311961.tif 000008
【図７】
2005311961.tif 000009
【図８】
2005311961.tif 000010
【図９】
2005311961.tif 000011
【図１０】
2005311961.tif 000012
【図１１】
2005311961.tif 000013
【図１２】
2005311961.tif 000014